(57)【要約】【課題】走行するシート材のセンタラインの幅方向のずれ量を、コストを抑えて正確に検出することができるシート材の走行位置検出方法を提供する。【解決手段】二つのセンサに幅方向の同一線上で、相反する方向に同一の速度で同一距離だけ往復移動する左右対称動作を反復させ、シート材Ｓ１を検出していない双方のセンサのうち一方がシート材の一方の端辺Ｅ２を検知した時点から、他方のセンサが他方の端辺Ｅ１を検知した時点までの第一時間△Ｔ１、及び、シート材を検出していた双方のセンサのうち一方がシート材の一方の端辺Ｅ１を検知した時点から、他方のセンサが他方の端辺Ｅ２を検知した時点までの第二時間△Ｔ２、の少なくとも一方にセンサが移動する距離に基づいて、左右対称動作の中心線をシート材上に投影したマシンセンタラインＭ０から、シート材のセンタラインＭ１までの幅方向のずれ量Ｌ１を算出する。【選択図】図２
2017024896.tif 000002
【特許請求の範囲】
【請求項１】
シート材の検出の有無によりオン・オフする二つのセンサに、走行中のシート材の幅方向と平行な同一線上で、相反する方向に同一の速度で同一距離だけ往復移動する左右対称動作を反復させ、
前記シート材を検出していない双方の前記センサのうち一方の前記センサが前記シート材の一方の端辺を検知した時点から、他方の前記センサが前記シート材の他方の端辺を検知した時点までの第一時間、及び、
前記シート材を検出していた双方の前記センサのうち一方の前記センサが前記シート材の一方の端辺を検知した時点から、他方の前記センサが前記シート材の他方の端辺を検知した時点までの第二時間、の少なくとも一方に前記センサが移動する距離に基づいて、
前記左右対称動作の中心線を前記シート材上に投影したマシンセンタラインから、前記シート材のセンタラインまでの前記幅方向のずれ量を算出する
ことを特徴とするシート材の走行位置検出方法。
【請求項２】
対をなす第一プーリ及び第二プーリに無端ベルトを巻き掛け、
該無端ベルトを一方向に回転させる際に前記第一プーリから第二プーリに向かう部分の前記無端ベルトに、二つの前記センサの一方を固定すると共に、前記無端ベルトを反対方向に回転させる際に前記第一プーリから第二プーリに向かう部分の前記無端ベルトに、二つの前記センサの他方を固定し、
前記第一プーリ及び前記第二プーリを一つのモータで駆動する
ことを特徴とする請求項１に記載のシート材の走行位置検出方法。
【発明の詳細な説明】
【技術分野】
【０００１】
本発明は、段ボールシートの製造ラインにおいて、走行するシート材の幅方向の位置ずれを検出するシート材の走行位置検出方法に関するものである。
【背景技術】
【０００２】
段ボールシートは、一般的にコルゲータと称される装置で製造される。コルゲータでは、シングルフェーサにおいて、波形に成形された中芯と裏ライナとの貼合により片面段ボールシートが製造され、ダブルフェーサにおいて、片面段ボールシートと表ライナとの貼合、または複数の片面段ボールシートと表ライナの貼合が行われ、両面段ボールシート、複両面段ボールシート等の段ボールシートが製造される。製造された段ボールシートは、スリッタスコアラにおいて走行方向と平行に罫線入れ及び溝切りが行われた後、所定の長さで走行方向と直交する方向に裁断される。
【０００３】
上記の工程は、中芯、ライナ、片面段ボールシート、両面段ボールシート等のシート材を走行させながら行われるが、シート材が走行する位置が幅方向（走行方向と直交する方向）にずれることにより、不具合が生じることがある。例えば、貼合前のシート材が幅方向にずれると、貼合された後のシート材において必要な幅長さを確保することができず、不良品となるおそれがある。また、スリッタスコアラの上流でシート材が幅方向にずれていると、ずれた位置で罫線入れや溝切りが行われることになり、製造された段ボールブランクの寸法が不正確となる。
【０００４】
シート材が幅方向にずれる理由は、自動紙継ぎ装置（オートスプライサ）における紙継ぎ位置のずれ、幅長さの異なるシート材を端辺で位置合わせをして紙継ぎすることによるずれ、シングルフェーサやダブルフェーサに供給される前のシート材を加熱する可動プレヒータとの摩擦など種々あるが、いったん幅方向に位置ずれが生じると、シート材はそのままの位置で走行し続ける。
【０００５】
そこで、本出願人は過去に、走行するシート材の幅方向の位置を調整する装置（以下、「シート材位置調整装置」と称する）及び方法を、種々提案し実施している（例えば、特許文献１，２参照）。これらの技術によってシート材の幅方向の位置を調整する場合、走行中のシート材の幅方向の位置を検出しながら、所望の位置となるまでシート材を幅方向に少しずつ移動させるという方法も採用し得るが、実際にシート材の走行位置がどれだけ幅方向にずれているかを正確に検出することができれば、その検出に基づく制御によって、位置の修正に必要な分だけシート材を幅方向に移動させることにより、短時間で幅方向の位置を調整することができると考えられる。
【０００６】
一方、設置スペースや導入コスト等の問題により、既存の製造ラインの途中にシート材位置調整装置を付加することができない場合、現状では、走行中のシート材の幅方向の位置ずれを作業者が目視で確認した後、原紙供給装置（ミルロールスタンド）において原紙ロールを軸方向にスライドさせる機構を手動で作動させることにより、幅方向の位置の調整を図っている。そこで、本出願人は、走行中のシート材の幅方向の位置ずれを正確に検出し、この検出に基づくフィードバック制御によって原紙供給装置において原紙ロールを軸方向にスライドさせるという方法も、実用的であると考えている。
【０００７】
つまり、走行中のシート材の幅方向の位置ずれを正確に検出することができれば、走行ラインの途中にシート材位置調整装置を付加する場合であっても、シート材位置調整装置置を付加することなく原紙供給装置における原紙ロールの位置を移動させる場合であっても、シート材の幅方向の位置を正確に調整することが可能となる。
【０００８】
従前より、シート材の幅方向の位置は、ラインセンサカメラやエリアセンサカメラによる撮像を画像処理し、シート材の端辺を検出することにより行っている。しかしながら、これらのセンサは何れも高価であることに加え、照明装置及び画像処理ソフトウェアが必要であるため、検出のための設備全体としてコストが嵩むという問題があった。
【０００９】
また、段ボールシートの製造ラインでは、貼合されるシート材同志の位置合わせのためにシート材の幅方向の位置調整が要請される箇所が多いが、シート材を貼合する場合、それぞれのセンタラインを合わせることが望ましい。シート材の端辺同志を合わせる位置調整では、貼合されるシート材の幅長さが相違する場合に、貼合後のシート材の端辺側を化粧断ちする余裕がなくなる等、加工に不具合が生じるおそれがあるからである。
【００１０】
そして、シート材についてセンタラインを検出しようとすると、シート材の両方の端辺を検出する必要がある。そのため、検出する一箇所当たり、片側の端辺を検出するセンサを２つ使用するか、シート材の幅方向の全長を超えて検出可能な大型のセンサを使用することとなり、上記のような高価なセンサを使用する場合は、検出のための設備全体が更に高コストとなる。
【先行技術文献】
【特許文献】
【００１１】
【特許文献１】特許第５２２６０３３号公報
【特許文献２】特許第５５４８２９１号公報
【発明の概要】
【発明が解決しようとする課題】
【００１２】
そこで、本発明は、上記の実情に鑑み、段ボールシートの製造ラインにおいて、走行するシート材のセンタラインの幅方向のずれ量を、コストを抑えて正確に検出することができるシート材の走行位置検出方法の提供を、課題とするものである。
【課題を解決するための手段】
【００１３】
上記の課題を解決するため、本発明にかかるシート材の走行位置検出方法（以下、単に「走行位置検出方法」と称することがある）は、
「シート材の検出の有無によりオン・オフする二つのセンサに、走行中のシート材の幅方向と平行な同一線上で、相反する方向に同一の速度で同一距離だけ往復移動する左右対称動作を反復させ、
前記シート材を検出していない双方の前記センサのうち一方の前記センサが前記シート材の一方の端辺を検知した時点から、他方の前記センサが前記シート材の他方の端辺を検知した時点までの第一時間、及び、
前記シート材を検出していた双方の前記センサのうち一方の前記センサが前記シート材の一方の端辺を検知した時点から、他方の前記センサが前記シート材の他方の端辺を検知した時点までの第二時間、の少なくとも一方に前記センサが移動する距離に基づいて、
前記左右対称動作の中心線を前記シート材上に投影したマシンセンタラインから、前記シート材のセンタラインまでの前記幅方向のずれ量を算出する」ものである。
【００１４】
「シート材」は、裏ライナ、表ライナ、波形に成形された中芯、片面段ボールシート、両面段ボールシート、及び、二層以上が貼合された片面段ボールシートに表ライナが貼合されたシートを指している。
【００１５】
「シート材の検出の有無によりオン・オフするセンサ」としては、可視光や赤外線を投射し反射光や遮光量によって検出対象の有無を検知する光電センサ、超音波を投射し反射波や減衰によって検出対象の有無を検知する超音波センサ、を例示することができる。
【００１６】
二つのセンサに、「相反する方向に同一の速度で同一距離だけ往復移動する左右対称動作」をさせながらシート材の端辺を検知させると、シート材に幅方向の位置ずれが生じているとき、それぞれのセンサがシート材を検出していない状態からシート材の端辺を検知するタイミングに、第一時間のずれが生じる。一方、それぞれのセンサがシート材を検出している状態からシート材の端辺を検知するタイミングにも、第二時間のずれが生じる。第一時間と第二時間は同一であり、その時間にセンサが移動する距離は、シート材のセンタラインがマシンセンタラインから幅方向にずれた距離の２倍に相当する。従って、二つのセンサがそれぞれシート材の端辺を検知するタイミング差に基づいて、シート材のセンタラインの幅方向のずれ量を算出することができる。
【００１７】
そして、シート材の幅方向のずれ量が分かれば、それに基づいて原紙供給装置において原紙ロールからの原紙繰り出し位置を移動させる制御を行うことにより、或いは、シート材の走行ラインの途中に設置したシート材位置調整装置の制御を行うことにより、シート材のセンタラインをマシンセンタラインに一致させることができる。これにより、シート材それぞれのセンタラインを合わせて貼合することができる。或いは、罫線入れや溝切り、ライナカット、印刷等の加工を、シート材に対して正確な位置で行うことができる。
【００１８】
また、本発明では、センサとして、検出対象物の有無によってオン・オフするセンサを使用する。このタイプのセンサは、ラインセンサカメラやエリアセンサカメラに比べて安価であり、照明装置や画像処理ソフトウェアも不要である。そのため、検出のための設備全体に要するコストを抑えることができる。
【００１９】
加えて、センサを移動させてシート材の端辺を検知することによって、シート材のセンタラインを検出しようとした場合、どこかに物理的な原点を定めて、その原点に対する端辺の位置を決定しようとする、換言すれば、シート材の幅長さの絶対値を知ろうとするのが、当業者の通常の考え方である。そして、物理的な原点を定めてセンサを移動させる場合は、誤差が累積することを避けるために定期的に原点復帰を行うのが一般的であり、原点復帰の間は検出を行うことができないという問題がある。これに対して、本発明の走行位置検出方法では、「一方のセンサがシート材の端辺を検知した時点が検出の原点」であるため、センサを原点復帰させる必要がない利点を有している。加えて、本発明は、温度や湿度などによっても「容易に変動してしまうシート材の幅長さの絶対値を知ろうとしていない」という特徴を有している。
【００２０】
本発明にかかるシート材の走行位置検出方法は、上記構成に加え、
「対をなす第一プーリ及び第二プーリに無端ベルトを巻き掛け、
該無端ベルトを一方向に回転させる際に前記第一プーリから第二プーリに向かう部分の前記無端ベルトに、二つの前記センサの一方を固定すると共に、前記無端ベルトを反対方向に回転させる際に前記第一プーリから第二プーリに向かう部分の前記無端ベルトに、二つの前記センサの他方を固定し、
前記第一プーリ及び前記第二プーリを一つのモータで駆動する」ものとすることができる。
【００２１】
本構成では、相反する方向に移動させる二つのセンサを一つのモータで駆動しているため、制御が容易である。また、構成が簡易であるため、この点からもコストを抑えることができる。
【発明の効果】
【００２２】
以上のように、本発明の効果として、段ボールシートの製造ラインにおいて、走行するシート材のセンタラインの幅方向のずれ量を、コストを抑えて正確に検出することができるシート材の走行位置検出方法を、提供することができる。
【図面の簡単な説明】
【００２３】
【図１】本発明の一実施形態であるシート材の走行位置検出方法に使用する走行位置検出装置の概略構成図である。
【図２】シート材の走行位置検出方法の説明図である。
【図３】図２に引き続き、シート材の走行位置検出方法の説明図である。
【発明を実施するための形態】
【００２４】
以下、本発明の具体的な実施形態であるシート材の走行位置検出方法、及び、該走行位置検出方法に使用する走行位置検出装置１について、図１乃至図３に基づいて説明する。
【００２５】
まず、走行位置検出装置１の構成について、図１を用いて説明する。走行位置検出装置１は、段ボールシートの製造ラインにおいて、走行するシート材Ｓの走行路の上方に設置される。例えば、シングルフェーサで貼合される直前の中芯及び裏ライナそれぞれをシート材Ｓとして、或いは、ダブルフェーサで貼合される直前の片面段ボール及び表ライナそれぞれをシート材Ｓとして、その走行路の上方に走行位置検出装置１が設置される。
【００２６】
走行位置検知装置１は、それぞれ光電センサである第一センサ１１及び第二センサ１２と、対をなす第一プーリ２１及び第二プーリ２２と、第一プーリ２１及び第二プーリ２２に巻き掛けられた無端ベルト２３と、第一プーリ２１の正逆回転を駆動するモータ２４と、第一プーリ２１の回転軸Ｐ１の回転変位量に応じてパルス列を出力するロータリエンコーダ２５と、第一センサ１１を支持していると共に第一固定部３１を介して無端ベルト２３に固定されている第一スライダ３５と、第二センサ１２を支持していると共に第二固定部３２を介して無端ベルト２３に固定されている第二スライダ３６と、無端ベルト２３の回転に伴う第一スライダ３５及び第二スライダ３６の移動を案内するリニアガイド３７と、を具備している。
【００２７】
なお、本実施形態では、光電センサとして反射式光電センサを使用しており、反射光の受光の有無によりシート材Ｓの存在を検出し、移動に伴う検出（オン）から非検出（オフ）への変化、及び、非検出（オフ）から検出（オン）への変化によって、シート材Ｓの端辺を検知する。
【００２８】
そして、第一スライダ３５は、第一プーリ２１が正回転（図示、矢印Ｒ１）する際に、第一プーリ２１から第二プーリ２２に向かう部分の無端ベルト２３に固定されており、第二スライダ３６は、第一プーリ２１が逆回転（図示、矢印Ｒ２）する際に、第一プーリ２１から第二プーリ２２に向かう部分の無端ベルト２３に固定されている。これにより、モータ２４の駆動により第一プーリ２１を正回転させ第二プーリ２２を従動回転させると、第一センサ１１は第一プーリ２１から第二プーリ２２に向かう方向に（図示、矢印Ａ１）、第二センサ１２は第二プーリ２２から第一プーリ２１に向かう方向に（図示、矢印Ａ２）、同一の速度で移動する。一方、モータ２４の駆動により第一プーリ２１を逆回転させ第二プーリ２２を従動回転させると、第一センサ１１は第二プーリ２２から第一プーリ２１に向かう方向に（図示、矢印Ｂ１）、第二センサ１２は第一プーリ２１から第二プーリ２２に向かう方向に（図示、矢印Ｂ２）、同一の速度で移動する。
【００２９】
従って、モータ２４の正逆回転により第一プーリ２１及び第二プーリ２２の正逆回転を、所定の回転角度間隔で繰り返すと、第一センサ１１と第二センサ１２は、相反する方向に同一の速度で同一距離だけ往復移動する左右対称動作を繰り返す。
【００３０】
また、第一センサ１１及び第二センサ１２は同じ高さにあり、無端ベルト２３の延びる方向は、走行するシート材Ｓの幅方向と平行である。これにより、第一センサ１１と第二センサ１２は、走行するシート材Ｓの幅方向と平行な同一線上で、上記の左右対称動作を繰り返す。この左右対称動作の中心線Ｐ０は、第一プーリ２１の回転軸Ｐ１及び第二プーリ２２の回転軸Ｐ２と平行で、それぞれの回転軸Ｐ１，Ｐ２から等距離にある。この中心線Ｐ０を、走行するシート材Ｓ上に投影した線を、シート材Ｓの走行路におけるマシンセンタラインＭ０とする。
【００３１】
このマシンセンタラインＭ０からシート材Ｓのセンタラインまでの幅方向のずれ量は、次の走行位置検出方法によって、検出することができる。すなわち、第一センサ１１及び第二センサ１２に左右対称動作を行わせ、シート材Ｓを検出していない第一センサ１１及び第二センサ１２のうち一方のセンサがシート材Ｓの一方の端辺を検知した時点から、他方のセンサがシート材Ｓの他方の端辺を検知した時点までの第一時間、及び、シート材Ｓを検出していた第一センサ１１及び第二センサ１２のうち一方のセンサがシート材Ｓの一方の端辺を検知した時点から、他方のセンサがシート材Ｓの他方の端辺を検知した時点までの第二時間、の少なくとも一方に第一センサ１１及び第二センサ１２が移動する距離に基づいて、マシンセンタラインＭ０からシート材Ｓのセンタラインまでの幅方向のずれ量を算出する走行位置検出方法である。
【００３２】
以下、走行位置検出方法について具体的に説明する。まず、幅長さが同一であるシート材Ｓ１を紙継ぎした際に幅方向の位置ずれが生じた場合を、図２を用いて説明する。ここでは、紙面上から下に向かってシート材Ｓ１が走行しており、紙面左及び紙面右において上下に延びるジグザグ線は、走行するシート材Ｓ１に対する第一センサ１１及び第二センサ１２それぞれの移動の軌跡を表したものである。
【００３３】
ここで、第一センサ１１及び第二センサ１２は、それぞれシート材の端辺Ｅ１，Ｅ２の位置の変動が想定される範囲を、ある程度超える範囲で往復移動させる。つまり、第一センサ１１及び第二センサ１２を往復移動させる距離に相当する回転角度で、第一プーリ２１及び第二プーリ２２が回転するようにモータ２４の正逆回転を制御する。
【００３４】
シート材Ｓ１のセンタラインがマシンセンタラインＭ０と一致しているとき、第一センサ１１及び第二センサ１２の双方がシート材を検知していないオフ状態から、それぞれのシート材の内側へ向かう移動により、第一センサ１１が端辺Ｅ１を検知する時点（オンとなる時点）Ｔ０と第二センサ１２が端辺Ｅ２を検知時点（オンとなる時点）ｔ０は同時である。その後、第一センサ１１及び第二センサ１２それぞれがシート材の外側に向かう移動により、第一センサ１１が端辺Ｅ１を検知する時点（オフとなる時点）Ｔ１と第二センサ１２が端辺Ｅ２を検知する時点（オフとなる時点）ｔ１も同時である。マシンセンタラインＭ０とシート材のセンタラインが一致している間は、同様に第一センサ１１及び第二センサ１２は相反する方向に同一方向で移動しつつ、同一の時点（図示、時点Ｔ２と時点ｔ２、及び、時点Ｔ３と時点ｔ３）でそれぞれ端辺Ｅ１，Ｅ２を検知する。
【００３５】
紙継ぎによってシート材Ｓ１が幅方向にずれ、そのセンタラインがＭ１となると、第一センサ１１及び第二センサ１２の双方がシート材を検出していない状態から端辺を検知する時点（以下、「オフからオンとなる時点」と称する）は、位置ずれによってシート材Ｓ１のセンタラインＭ１が移動した側のセンサの方が早くなり、第一センサ１１及び第二センサ１２の双方がシート材を検出している状態から端辺を検知する時点（以下、「オンからオフとなる時点」と称する）は、位置ずれによってシート材Ｓ１のセンタラインＭ１が移動した側のセンサの方が遅くなる。
【００３６】
図２の例では、シート材Ｓ１のセンタラインＭ１に紙面右側への位置ずれが生じているため、第二センサ１２がオフからオンとなる時点ｔ４は、第一センサ１１がオフからオンとなる時点Ｔ４より第一時間△Ｔ１だけ早い。また、第二センサ１２がオンからオフとなる時点ｔ５は、第一センサ１１がオンからオフとなる時点Ｔ５より第二時間△Ｔ２だけ遅い。そして、シート材Ｓ１のセンタラインＭ１が変化しない限り、相反する方向に移動しつつ、第二センサ１２がオフからオンとなる時点（図示、ｔ６、ｔ８）は、第一センサ１１がオフからオンとなる時点（図示、Ｔ６，Ｔ８）より第一時間△Ｔ１だけ早く、第二センサ１２がオンからオフとなる時点（図示、ｔ７）は、第一センサ１１がオンからオフとなる時点（図示、時点Ｔ７）より第二時間△Ｔ２だけ遅い。
【００３７】
第一時間△Ｔ１と第二時間△Ｔ２の長さは同一である。そして、図２示すように、第一時間△Ｔ１または第二時間△Ｔ２の間に第一センサ１１及び第二センサ１２が移動した距離は、シート材Ｓ１のセンタラインＭ１がマシンセンタラインＭ０から幅方向にずれた距離Ｌ１の２倍に相当する。従って、第一時間△Ｔ１及び第二時間△Ｔ２の双方または一方におけるロータリエンコーダ２５の出力パルス数とパルス長とから、第一時間△Ｔ１または第二時間△Ｔ２の間に第一センサ１１及び第二センサ１２が移動した距離が分かり、その二分の一の長さとしてシート材ＳのセンタラインＭ１の幅方向のずれ量Ｌ１を算出することができる。或いは、第一センサ１１及び第二センサ１２がシート材Ｓ１の端辺をそれぞれ検知した時点をタイマで特定し第一時間△Ｔ１及び第二時間△Ｔ２の双方または一方を計測すれば、その値と第一センサ１１及び第二センサ１２の移動速度とから、第一時間△Ｔ１または第二時間△Ｔ２の間に第一センサ１１及び第二センサ１２が移動した距離が分かり、その二分の一の長さとしてシート材ＳのセンタラインＭ１の幅方向のずれ量Ｌ１を算出することができる。
【００３８】
次に、シート材Ｓ１に幅長さが異なるシート材Ｓ２を、一方の端辺Ｅ２を合わせて紙継ぎしたことにより、シート材Ｓ２のセンタラインＭ２がマシンセンタラインＭ０から幅方向に距離Ｌ２ずれた場合を、図３を用いて説明する。この例では、シート材Ｓ２のセンタラインＭ２に紙面左側への位置ずれが生じているため、第一センサ１１がオフからオンとなる時点Ｔ１２、Ｔ１４は、第二センサ１２がオフからオンとなる時点ｔ１２、ｔ１４より第一時間△Ｔ１だけ早い。また、第一センサ１１がオンからオフとなる時点Ｔ１１，Ｔ１３，Ｔ１５は、第二センサ１２がオンからオフとなる時点ｔ１１、ｔ１３、ｔ１５より第二時間△Ｔ２だけ遅い。そして、第一時間△Ｔ１または第二時間△Ｔ２の間に第一センサ１１及び第二センサ１２が移動した距離は、シート材Ｓ２のセンタラインＭ２がマシンセンタラインＭ０から幅方向にずれた距離Ｌ２の２倍に相当するため、上記と同様に、第一センサ１１及び第二センサ１２がシート材Ｓ２の端辺Ｅ１，Ｅ２を検知したタイミング差に基づき、シート材Ｓ２のセンタラインＭ２の幅方向のずれ量Ｌ２を算出することができる。
【００３９】
上記のように、本実施形態の走行位置検出方法によれば、第一センサ１１及び第二センサ１２に左右対称動作をさせ、それぞれがシート材の端辺Ｅ１，Ｅ２を検知するタイミング差に基づいて、シート材のセンタラインのマシンセンタラインＭ０からの幅方向のずれ量を、正確に検出することができる。特に、本実施形態では、第一センサ１１及び第二センサ１２それぞれがシート材の端辺Ｅ１，Ｅ２を検知するタイミング差である第一時間△Ｔ１及び第二時間△Ｔ２に第一センサ１１及び第二センサ１２が移動した距離を、ロータリエンコーダ２５の出力パルス数とパルス長とから算出することができるため、第一センサ１１及び第二センサ１２の移動速度に変動があっても、ある時間における移動距離を容易に算出することができる。なお、第一センサ１１及び第二センサ１２にさせる左右対称動作における「同一の速度」とは、第一センサの速度と第二センサの速度が同一という意味であり、一定の速度という意味ではない。一方のセンサの移動速度が変化するとき、他方のセンサも同一の速度変化をする。
【００４０】
そして、本実施形態の走行位置検出方法では、第一センサ１１及び第二センサ１２として汎用の光電センサを使用しているため、ラインセンサカメラやエリアセンサカメラなどセンサ自体が高価で、且つ照明装置や画像処理ソフトウェアを必要とするセンサを使用する場合に比べて、検出のための設備全体に要するコストを抑えることができる。
【００４１】
また、本実施形態では、相反する方向に移動させる二つのセンサ（第一センサ１１及び第二センサ１２）を一つのモータ２４で駆動しているため、制御が容易である。また、構成が簡易であるため、この点からもコストを抑えることができる。
【００４２】
更に、本実施形態では、第一センサ１１及び第二センサ１２として反射式光電センサを使用しているため、シート材の片面側のみのスペースで走行位置検出装置１を設置することができる。これにより、装置の構成が簡易であると共に、段ボールシートの製造ラインにおける他の装置と干渉しにくいため、既存の製造ラインに付加的に導入し易い。
【００４３】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４４】
例えば、上記の実施形態では、二つのセンサを往復移動させる距離が一定である場合を、図示により例示した。これに限定されず、想定されるずれ量の大きさや、紙継ぎによるシート材のサイズ変更などに応じて、往復移動の距離を変化させることができる。センサを往復移動させる距離、換言すれば、計測すべきロータリエンコーダの出力パルス数が小さいほど、検出誤差を小さくすることができる。
【符号の説明】
【００４５】
１  走行位置検出装置
１１  第一センサ（センサ）
１２  第二センサ（センサ）
２１  第一プーリ
２２  第二プーリ
２３  無端ベルト
２４  モータ
Ｓ，Ｓ１，Ｓ２  シート材
Ｅ１，Ｅ２  端辺（シート材の端辺）
△Ｔ１  第一時間
△Ｔ２  第二時間
Ｐ０  左右対称動作の中心線
Ｍ０  マシンセンタライン
Ｍ１，Ｍ２  シート材のセンタライン
Ｌ１，Ｌ２  幅方向のずれ量
【図１】
2017024896.tif 000003
【図２】
2017024896.tif 000004
【図３】
2017024896.tif 000005
【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
シート材の検出の有無によりオン・オフする二つのセンサに、走行中のシート材の幅方向と平行な同一線上で、相反する方向に同一の速度で同一距離だけ往復移動する左右対称動作を反復させ、
二つの前記センサの移動の原点として物理的な原点を設定することなく、
前記シート材を検出していない双方の前記センサのうち一方の前記センサが前記シート材の一方の端辺を検知した時点を検出の原点とし、該原点から他方の前記センサが前記シート材の他方の端辺を検知した時点までの第一時間に前記センサが移動した距離、及び、
前記シート材を検出していた双方の前記センサのうち一方の前記センサが前記シート材の一方の端辺を検知した時点を検出の原点とし、該原点から他方の前記センサが前記シート材の他方の端辺を検知した時点までの第二時間に前記センサが移動した距離、の少なくとも一方に基づいて、
前記左右対称動作の中心線を前記シート材上に投影したマシンセンタラインから、前記シート材のセンタラインまでの前記幅方向のずれ量を算出する
ことを特徴とするシート材の走行位置検出方法。
【請求項２】
対をなす第一プーリ及び第二プーリに無端ベルトを巻き掛け、
該無端ベルトを一方向に回転させる際に前記第一プーリから第二プーリに向かう部分の前記無端ベルトに、二つの前記センサの一方を固定すると共に、前記無端ベルトを反対方向に回転させる際に前記第一プーリから第二プーリに向かう部分の前記無端ベルトに、二つの前記センサの他方を固定し、
前記第一プーリ及び前記第二プーリを一つのモータで駆動する
ことを特徴とする請求項１に記載のシート材の走行位置検出方法。
【手続補正２】
【補正対象書類名】明細書
【補正対象項目名】００１３
【補正方法】変更
【補正の内容】
【００１３】
上記の課題を解決するため、本発明にかかるシート材の走行位置検出方法（以下、単に「走行位置検出方法」と称することがある）は、
「シート材の検出の有無によりオン・オフする二つのセンサに、走行中のシート材の幅方向と平行な同一線上で、相反する方向に同一の速度で同一距離だけ往復移動する左右対称動作を反復させ、
二つの前記センサの移動の原点として物理的な原点を設定することなく、
前記シート材を検出していない双方の前記センサのうち一方の前記センサが前記シート材の一方の端辺を検知した時点を検出の原点とし、該原点から他方の前記センサが前記シート材の他方の端辺を検知した時点までの第一時間に前記センサが移動した距離、及び、
前記シート材を検出していた双方の前記センサのうち一方の前記センサが前記シート材の一方の端辺を検知した時点を検出の原点とし、該原点から他方の前記センサが前記シート材の他方の端辺を検知した時点までの第二時間に前記センサが移動した距離、の少なくとも一方に基づいて、
前記左右対称動作の中心線を前記シート材上に投影したマシンセンタラインから、前記シート材のセンタラインまでの前記幅方向のずれ量を算出する」ものである。